【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、
前記検出手段の検出結果の使用を有効にするか、無効にするかを切り替える切り替え手段とを備え、
前記切り替え手段の切り替え結果に応じて、前記シャッタースピード制御部で制御しうるシャッタースピードの制御許容範囲を変える際に、前記切り替え手段によって前記検出手段の検出結果の使用を有効とした場合には、無効とした場合と比較して、小さくなるようにしたことを特徴とする撮像装置。
【請求項２】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、
前記検出手段の検出結果の使用を有効にするか、無効にするかを切り替える切り替え手段とを備え、
前記切り替え手段の切り替え結果に応じて、前記シャッタースピード制御部で制御しうるシャッタースピードの制御許容範囲を変える際に、前記シャッタースピードの制御許容範囲を、少なくとも低速のシャッタースピード制限値が異なり、前記切り替え手段によって前記検出手段の検出結果の使用を有効とした場合には、前記低速のシャッタースピード制限値として、第１の低速シャッタースピード制限値を設定し、無効である場合には、第２の低速シャッタースピード制限値を設定し、前記第１の低速シャッタースピード制限値の方が前記第２の低速シャッタースピード制限値よりも高速であることを特徴とする撮像装置。
【請求項３】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、
前記検出手段の検出結果の使用を有効にするか、無効にするかを切り替える切り替え手段とを備え、
前記シャッタースピード制御部で制御するシャッタースピードの制御範囲が所定の許容範囲を超えて制御される撮影設定の選択、もしくは該撮影設定で設定可能な項目の一部の選択を、前記切り替え手段の切り替え結果に応じて禁止する際に、前記切り替え手段において少なくとも前記検出手段の検出結果の使用を有効にしている場合に設定されるシャッタースピードの下限値である第１の顔検出有効シャッタースピード下限値よりも低速までシャッタースピードを制御しうる可能性がある撮影設定の選択を禁止する、もしくは該撮影設定内で設定可能な項目の一部の選択を禁止することを特徴とする撮像装置。
【請求項４】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、
前記検出手段の検出結果の使用を有効にするか、無効にするかを切り替える切り替え手段とを備え、
前記シャッタースピード制御部で制御するシャッタースピードの制御範囲が所定の許容範囲を超えて制御される撮影設定の選択、もしくは該撮影設定で設定可能な項目の一部の選択を、前記切り替え手段の切り替え結果に応じて禁止するものであって、
前記第１の顔検出有効シャッタースピード下限値よりも低速までシャッタースピードを制御しうる可能性がある撮影設定内で選択を禁止する項目が、少なくとも前記切り替え手段において前記検出手段の検出結果の使用が有効である場合に設定される前記第１の顔検出有効シャッタースピード下限値よりも低速で制御される項目であることを特徴とする撮像装置。
【請求項５】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、
前記検出手段の検出結果の使用を有効にするか、無効にするかを切り替える切り替え手段とを備え、
前記シャッタースピード制御部で制御するシャッタースピードの制御範囲が所定の許容範囲を超えて制御される撮影設定へ移行した際に、前記切り替え手段の切り替え結果に応じて、前記撮影設定内で設定可能な制御範囲を変える際に、前記切り替え手段によって前記検出手段の検出結果の使用が有効である場合に前記撮影設定へ移行した際は、前記検出手段の検出結果の使用が有効である場合に設定される、シャッタースピードの制御範囲である所定の顔検出有効シャッタースピード制御範囲でシャッタースピード制御を設定可能とし、前記検出手段の検出結果の使用が無効である場合に前記撮影設定へ移行した際は、前記所定の顔検出有効シャッタースピード制御範囲を超えてシャッタースピード制御を設定可能とすることを特徴とする撮像装置。
【請求項６】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、
前記検出手段の検出結果の使用を有効にするか、無効にするかを切り替える切り替え手段とを備え、
前記シャッタースピード制御部で制御するシャッタースピードの制御範囲が所定の許容範囲を超えて制御される撮影設定へ移行した際に、前記切り替え手段の切り替え結果に応じて、前記撮影設定内で設定可能な制御範囲を変える際に、前記切り替え手段によって前記検出手段の検出結果の使用が有効である場合は、第１の顔検出有効シャッタースピード下限値が設定され、無効である場合には、第２の顔検出有効シャッタースピード下限値が設定され、前記第１の顔検出有効シャッタースピード下限値は前記第２の顔検出有効シャッタースピード下限値より高速であり、前記切り替え手段によって前記検出手段の検出結果の使用が有効である場合には、無効である場合に比べて、シャッタースピードが高速側で制御されることを特徴とする撮像装置。
【請求項７】
前記切り替え手段によって前記検出手段の検出結果の使用が有効であり、かつ前記特定の被写体像が検出された場合には、該特定の被写体像が検出されたことを示す枠表示を映像信号に重畳することを特徴とする請求項１乃至６のいずれか１項に記載の撮像装置。
【請求項８】
前記切り替え手段によって前記検出手段の検出結果の使用が有効であり、かつ前記第１の低速シャッタースピード制限値、前記第１の顔検出有効シャッタースピード下限値、及び前記第２の顔検出有効シャッタースピード下限値よりも現在のシャッタースピードが高速である場合に前記検出手段の動作を実行することを特徴とする請求項１乃至６のいずれか１項に記載の撮像装置。
【請求項９】
前記撮影設定とは、撮影場所及び撮影シーンが暗い場所を想定した撮影モードであることを特徴とする請求項４乃至６のいずれか１項に記載の撮像装置。
【請求項１０】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、
前記検出手段の検出結果の使用を有効にするか、無効にするかを切り替える切り替え工程を有し、
前記切り替え工程の切り替え結果に応じて、前記シャッタースピード制御部で制御しうるシャッタースピードの制御許容範囲を変える際に、前記シャッタースピード制御部で制御しうるシャッタースピードの制御許容範囲は、前記切り替え手段によって前記検出手段の検出結果の使用を有効とした場合には、無効とした場合と比較して、小さくなるようにしたことを特徴とする撮像装置の制御方法。
【請求項１１】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、
前記検出手段の検出結果の使用を有効にするか、無効にするかを切り替える切り替え工程を有し、
前記切り替え工程の切り替え結果に応じて、前記シャッタースピード制御部で制御しうるシャッタースピードの制御許容範囲を変える際に、前記シャッタースピードの制御許容範囲を、少なくとも低速のシャッタースピード制限値が異なり、前記切り替え手段によって前記検出手段の検出結果の使用を有効とした場合には、前記低速のシャッタースピード制限値として、第１の低速シャッタースピード制限値を設定し、無効である場合には、第２の低速シャッタースピード制限値を設定し、前記第１の低速シャッタースピード制限値の方が前記第２の低速シャッタースピード制限値よりも高速とすることを特徴とする撮像装置の制御方法。
【請求項１２】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、
前記検出手段の検出結果の使用を有効にするか、無効にするかを切り替える切り替え工程を有し、
前記シャッタースピード制御部で制御するシャッタースピードの制御範囲が所定の許容範囲を超えて制御される撮影設定の選択、もしくは該撮影設定で設定可能な項目の一部の選択を、前記切り替え工程の切り替え結果に応じて禁止するものであって、
前記切り替え手段において少なくとも前記検出手段の検出結果の使用を有効にしている場合に設定されるシャッタースピードの下限値である第１の顔検出有効シャッタースピード下限値よりも低速までシャッタースピードを制御しうる可能性がある撮影設定の選択を禁止する、もしくは該撮影設定内で設定可能な項目の一部の選択を禁止することを特徴とする撮像装置の制御方法。
【請求項１３】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、
前記検出手段の検出結果の使用を有効にするか、無効にするかを切り替える切り替え工程を有し、
前記シャッタースピード制御部で制御するシャッタースピードの制御範囲が所定の許容範囲を超えて制御される撮影設定の選択、もしくは該撮影設定で設定可能な項目の一部の選択を、前記切り替え工程の切り替え結果に応じて禁止するものであって、
前記第１の顔検出有効シャッタースピード下限値よりも低速までシャッタースピードを制御しうる可能性がある撮影設定内で選択を禁止する項目とは、少なくとも前記切り替え手段において前記検出手段の検出結果の使用が有効である場合に設定される前記第１の顔検出有効シャッタースピード下限値よりも低速で制御される項目であることを特徴とする撮像装置の制御方法。
【請求項１４】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、
前記検出手段の検出結果の使用を有効にするか、無効にするかを切り替える切り替え工程を有し、
前記シャッタースピード制御部で制御するシャッタースピードの制御範囲が所定の許容範囲を超えて制御される撮影設定へ移行した際に、前記切り替え工程の切り替え結果に応じて、前記撮影設定内で設定可能な制御範囲を変える際に、前記切り替え手段によって前記検出手段の検出結果の使用が有効である場合に前記撮影設定へ移行した際は、前記検出手段の検出結果の使用が有効である場合に設定される、シャッタースピードの制御範囲である所定の顔検出有効シャッタースピード制御範囲でシャッタースピード制御を設定可能とし、前記検出手段の検出結果の使用が無効である場合に前記撮影設定へ移行した際は、前記所定の顔検出有効シャッタースピード制御範囲を超えてシャッタースピード制御を設定可能とすることを特徴とする撮像装置の制御方法。
【請求項１５】
撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、
前記検出手段の検出結果の使用を有効にするか、無効にするかを切り替える切り替え工程を有し、
前記シャッタースピード制御部で制御するシャッタースピードの制御範囲が所定の許容範囲を超えて制御される撮影設定へ移行した際に、前記切り替え工程の切り替え結果に応じて、前記撮影設定内で設定可能な制御範囲を変える際に、前記切り替え手段によって前記検出手段の検出結果の使用が有効である場合は、第１の顔検出有効シャッタースピード下限値が設定され、無効である場合には、第２の顔検出有効シャッタースピード下限値が設定され、前記第１の顔検出有効シャッタースピード下限値は前記第２の顔検出有効シャッタースピード下限値より高速であり、前記切り替え手段によって前記検出手段の検出結果の使用が有効である場合には、無効である場合に比べて、シャッタースピードが高速側で制御されることを特徴とする撮像装置の制御方法。
【請求項１６】
請求項１０乃至請求項１５の何れか１項に記載の撮像装置の制御方法の各工程をコンピュータにより実行させるためのコンピュータで読み取り可能なプログラム。
【請求項１７】
請求項１６に記載のプログラムをコンピュータで読み取り可能に記録した記録媒体。
【手続補正２】
【補正対象書類名】明細書
【補正対象項目名】発明の名称
【補正方法】変更
【補正の内容】
【発明の名称】撮像装置及びその制御方法、プログラム並びに記録媒体
【手続補正３】
【補正対象書類名】明細書
【補正対象項目名】０００１
【補正方法】変更
【補正の内容】
【０００１】
本発明は、デジタルカメラやデジタルビデオカメラ等の撮像装置及びその制御方法、プログラム並びに記録媒体に関する。
【手続補正４】
【補正対象書類名】明細書
【補正対象項目名】０００９
【補正方法】変更
【補正の内容】
【０００９】
本発明は上記従来の問題点に鑑み、次のような撮像装置及びその制御方法、プログラム並びに記録媒体を提供することを目的とする。即ち、撮影画面内の特定の被写体像の検出において、その検出の安定性を確保し、さらに特定の被写体像に対して枠表示を行った場合の撮影者の違和感、不快感を軽減することができるようにする。
【手続補正５】
【補正対象書類名】明細書
【補正対象項目名】００１０
【補正方法】変更
【補正の内容】
【００１０】
上記目的を達成するために、本発明の撮像装置は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、前記検出手段の検出結果の使用を有効にするか、無効にするかを切り替える切り替え手段とを備え、前記切り替え手段の切り替え結果に応じて、前記シャッタースピード制御部で制御しうるシャッタースピードの制御許容範囲を変える際に、前記切り替え手段によって前記検出手段の検出結果の使用を有効とした場合には、無効とした場合と比較して、小さくなるようにしたことを特徴とする。
上記目的を達成するために、本発明の撮像装置は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、前記検出手段の検出結果の使用を有効にするか、無効にするかを切り替える切り替え手段とを備え、前記切り替え手段の切り替え結果に応じて、前記シャッタースピード制御部で制御しうるシャッタースピードの制御許容範囲を変える際に、前記シャッタースピードの制御許容範囲を、少なくとも低速のシャッタースピード制限値が異なり、前記切り替え手段によって前記検出手段の検出結果の使用を有効とした場合には、前記低速のシャッタースピード制限値として、第１の低速シャッタースピード制限値を設定し、無効である場合には、第２の低速シャッタースピード制限値を設定し、前記第１の低速シャッタースピード制限値の方が前記第２の低速シャッタースピード制限値よりも高速であることを特徴とする。
上記目的を達成するために、本発明の撮像装置は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、前記検出手段の検出結果の使用を有効にするか、無効にするかを切り替える切り替え手段とを備え、前記シャッタースピード制御部で制御するシャッタースピードの制御範囲が所定の許容範囲を超えて制御される撮影設定の選択、もしくは該撮影設定で設定可能な項目の一部の選択を、前記切り替え手段の切り替え結果に応じて禁止する際に、前記切り替え手段において少なくとも前記検出手段の検出結果の使用を有効にしている場合に設定されるシャッタースピードの下限値である第１の顔検出有効シャッタースピード下限値よりも低速までシャッタースピードを制御しうる可能性がある撮影設定の選択を禁止する、もしくは該撮影設定内で設定可能な項目の一部の選択を禁止することを特徴とする。
上記目的を達成するために、本発明の撮像装置は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、前記検出手段の検出結果の使用を有効にするか、無効にするかを切り替える切り替え手段とを備え、前記シャッタースピード制御部で制御するシャッタースピードの制御範囲が所定の許容範囲を超えて制御される撮影設定の選択、もしくは該撮影設定で設定可能な項目の一部の選択を、前記切り替え手段の切り替え結果に応じて禁止するものであって、前記第１の顔検出有効シャッタースピード下限値よりも低速までシャッタースピードを制御しうる可能性がある撮影設定内で選択を禁止する項目が、少なくとも前記切り替え手段において前記検出手段の検出結果の使用が有効である場合に設定される前記第１の顔検出有効シャッタースピード下限値よりも低速で制御される項目であることを特徴とする。
上記目的を達成するために、本発明の撮像装置は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、前記検出手段の検出結果の使用を有効にするか、無効にするかを切り替える切り替え手段とを備え、前記シャッタースピード制御部で制御するシャッタースピードの制御範囲が所定の許容範囲を超えて制御される撮影設定へ移行した際に、前記切り替え手段の切り替え結果に応じて、前記撮影設定内で設定可能な制御範囲を変える際に、前記切り替え手段によって前記検出手段の検出結果の使用が有効である場合に前記撮影設定へ移行した際は、前記検出手段の検出結果の使用が有効である場合に設定される、シャッタースピードの制御範囲である所定の顔検出有効シャッタースピード制御範囲でシャッタースピード制御を設定可能とし、前記検出手段の検出結果の使用が無効である場合に前記撮影設定へ移行した際は、前記所定の顔検出有効シャッタースピード制御範囲を超えてシャッタースピード制御を設定可能とすることを特徴とする。
上記目的を達成するために、本発明の撮像装置は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段と、前記検出手段の検出結果の使用を有効にするか、無効にするかを切り替える切り替え手段とを備え、前記シャッタースピード制御部で制御するシャッタースピードの制御範囲が所定の許容範囲を超えて制御される撮影設定へ移行した際に、前記切り替え手段の切り替え結果に応じて、前記撮影設定内で設定可能な制御範囲を変える際に、前記切り替え手段によって前記検出手段の検出結果の使用が有効である場合は、第１の顔検出有効シャッタースピード下限値が設定され、無効である場合には、第２の顔検出有効シャッタースピード下限値が設定され、前記第１の顔検出有効シャッタースピード下限値は前記第２の顔検出有効シャッタースピード下限値より高速であり、前記切り替え手段によって前記検出手段の検出結果の使用が有効である場合には、無効である場合に比べて、シャッタースピードが高速側で制御されることを特徴とする。
上記目的を達成するために、本発明の撮像装置の制御方法は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、前記検出手段の検出結果の使用を有効にするか、無効にするかを切り替える切り替え工程を有し、前記切り替え工程の切り替え結果に応じて、前記シャッタースピード制御部で制御しうるシャッタースピードの制御許容範囲を変える際に、前記シャッタースピード制御部で制御しうるシャッタースピードの制御許容範囲は、前記切り替え手段によって前記検出手段の検出結果の使用を有効とした場合には、無効とした場合と比較して、小さくなるようにしたことを特徴とする。
上記目的を達成するために、本発明の撮像装置の制御方法は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、前記検出手段の検出結果の使用を有効にするか、無効にするかを切り替える切り替え工程を有し、前記切り替え工程の切り替え結果に応じて、前記シャッタースピード制御部で制御しうるシャッタースピードの制御許容範囲を変える際に、前記シャッタースピードの制御許容範囲を、少なくとも低速のシャッタースピード制限値が異なり、前記切り替え手段によって前記検出手段の検出結果の使用を有効とした場合には、前記低速のシャッタースピード制限値として、第１の低速シャッタースピード制限値を設定し、無効である場合には、第２の低速シャッタースピード制限値を設定し、前記第１の低速シャッタースピード制限値の方が前記第２の低速シャッタースピード制限値よりも高速とすることを特徴とする。
上記目的を達成するために、本発明の撮像装置の制御方法は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、前記検出手段の検出結果の使用を有効にするか、無効にするかを切り替える切り替え工程を有し、前記シャッタースピード制御部で制御するシャッタースピードの制御範囲が所定の許容範囲を超えて制御される撮影設定の選択、もしくは該撮影設定で設定可能な項目の一部の選択を、前記切り替え工程の切り替え結果に応じて禁止するものであって、前記切り替え手段において少なくとも前記検出手段の検出結果の使用を有効にしている場合に設定されるシャッタースピードの下限値である第１の顔検出有効シャッタースピード下限値よりも低速までシャッタースピードを制御しうる可能性がある撮影設定の選択を禁止する、もしくは該撮影設定内で設定可能な項目の一部の選択を禁止することを特徴とする。
上記目的を達成するために、本発明の撮像装置の制御方法は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、前記検出手段の検出結果の使用を有効にするか、無効にするかを切り替える切り替え工程を有し、前記シャッタースピード制御部で制御するシャッタースピードの制御範囲が所定の許容範囲を超えて制御される撮影設定の選択、もしくは該撮影設定で設定可能な項目の一部の選択を、前記切り替え工程の切り替え結果に応じて禁止するものであって、前記第１の顔検出有効シャッタースピード下限値よりも低速までシャッタースピードを制御しうる可能性がある撮影設定内で選択を禁止する項目とは、少なくとも前記切り替え手段において前記検出手段の検出結果の使用が有効である場合に設定される前記第１の顔検出有効シャッタースピード下限値よりも低速で制御される項目であることを特徴とする。
上記目的を達成するために、本発明の撮像装置の制御方法は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、前記検出手段の検出結果の使用を有効にするか、無効にするかを切り替える切り替え工程を有し、前記シャッタースピード制御部で制御するシャッタースピードの制御範囲が所定の許容範囲を超えて制御される撮影設定へ移行した際に、前記切り替え工程の切り替え結果に応じて、前記撮影設定内で設定可能な制御範囲を変える際に、前記切り替え手段によって前記検出手段の検出結果の使用が有効である場合に前記撮影設定へ移行した際は、前記検出手段の検出結果の使用が有効である場合に設定される、シャッタースピードの制御範囲である所定の顔検出有効シャッタースピード制御範囲でシャッタースピード制御を設定可能とし、前記検出手段の検出結果の使用が無効である場合に前記撮影設定へ移行した際は、前記所定の顔検出有効シャッタースピード制御範囲を超えてシャッタースピード制御を設定可能とすることを特徴とする。
上記目的を達成するために、本発明の撮像装置の制御方法は、撮像光学系による被写体像を光電変換して、撮影画面に対応した画像信号を生成する撮像素子と、前記撮像素子に露光を与える時間であるシャッタースピードを制御するシャッタースピード制御部と、前記画像信号に基づいて前記撮影画面内の特定の被写体像を検出する検出手段とを有し、前記検出手段の検出結果に応じて、撮像に関する動作を行う撮像装置の制御方法であって、前記検出手段の検出結果の使用を有効にするか、無効にするかを切り替える切り替え工程を有し、前記シャッタースピード制御部で制御するシャッタースピードの制御範囲が所定の許容範囲を超えて制御される撮影設定へ移行した際に、前記切り替え工程の切り替え結果に応じて、前記撮影設定内で設定可能な制御範囲を変える際に、前記切り替え手段によって前記検出手段の検出結果の使用が有効である場合は、第１の顔検出有効シャッタースピード下限値が設定され、無効である場合には、第２の顔検出有効シャッタースピード下限値が設定され、前記第１の顔検出有効シャッタースピード下限値は前記第２の顔検出有効シャッタースピード下限値より高速であり、前記切り替え手段によって前記検出手段の検出結果の使用が有効である場合には、無効である場合に比べて、シャッタースピードが高速側で制御されることを特徴とする。
上記目的を達成するために、本発明のプログラムは、前述した何れか１つの撮像装置の制御方法をコンピュータにより実行させるようコンピュータで読み取り可能に構成されている。
上記目的を達成するために、本発明の記録媒体は、上述したプログラムをコンピュータで読み取り可能に記録して構成されている。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】